(57)【特許請求の範囲】
【請求項１】
超小型回路カードと、前記カードの読取り／書込み端末のような、基準装置と追従装置との間のデータ伝送方法であって、以下の手順を含むことを特徴とする、データ伝送方法。
（ａ）  送信装置において、伝送すべきメッセージの基本データを、ビット信号（ｂ０，．．ｂ７）のシーケンスで構成されたデータにグループ化する。
（ｂ）  受信装置に、データの前記シーケンスを、該シーケンスの前に同期化信号（１０）を置いて伝送し、該同期化信号が、基本データのシーケンスと共に一つのフレーム（８）を構成し、各基本データのビット信号（ｂ０，．．ｂ７）、及び同期化信号（２０，２２，２４，２６）の持続時間及び位置の特性は、基準装置に固有のものであり基本データのビット信号（ｂ０，．．ｂ７）の持続時間が一定ではなく、追従装置に課せられる。
【請求項２】
一つのデータの複数のビット信号は、基準装置に固有の、ランダムな順番であることを特徴とする、請求項１に記載の方法。
【請求項３】
以下から成る追加の手順を含むことを特徴とする、請求項１または２に記載の方法。
（ｃ）  ビット信号で構成された伝送されるデータの制御信号（１４）を、受信装置に伝送する。
【請求項４】
伝送の為にグループ化される基本データの数（Ｎ）は、フレーム毎に可変であることを特徴とする、請求項１から３のいずれか一つに記載の方法。
【発明の詳細な説明】
【０００１】
本発明は、デジタル伝送のシステムと方法に関するものであり、特に、例えば電子チップカードと読取り端末のような、二つの装置の間のデータ伝送に活用可能なデジタル伝送の方法と方式に関するものである。
【０００２】
装置間のデジタル伝送もしくはデジタル通信には二つの方式が存在するが、例えば情報処理のタイプで言うと、一つは「同期方式」そしてもう一つは「非同期方式」である。
【０００３】
同期式伝送の場合には、基本データは互いに連結され、伝送クロック信号の周期に合わせて絶え間なく伝送される。基本データセットの初めと終わりは、クロック信号の周期に合わせて行われる論理状態の遷移の特有の連続により、位置が割り出される。従って、各基本データについては、同期化信号も制御信号もない。
【０００４】
非同期式伝送の場合には、データは個別に伝送され、伝送すべき情報と、同期化信号と、制御信号とを含む。
【０００５】
通常、同期化信号を構成しているのは、伝送要素の初めの１ビットと、単一の伝送要素の終わりの１または２ビットである。制御信号を構成しているのは、通常は、基本データに関連づけられた冗長性ビットである。
【０００６】
二つの相次ぐ基本データを隔てる時間は、可変である。
【０００７】
データ・ビットの伝送周波数が同一であれば、二つの相次ぐ基本データの間には、同期化信号や、制御信号、時にはロスタイムが存在するため、非同期式伝送の速度は、同期式伝送よりも遅くなる。しかし、同期式通信にはデータのクロック信号の伝送が必要であり、そのような信号は情報処理装置の通信チャネルでは常に使用可能とは限らない。
【０００８】
一方、非同期式伝送のチップカードの場合には、実際に使われている制御信号、例えばパリティ制御信号などは、同じ性質の二つのエラーが互いに埋め合わせするということがあり得るので、チップカードで起こり得る伝送エラーの幾つかを検知しそこなう恐れがある。
【０００９】
従って、本発明の目的の一つは、先行技術のデジタル伝送方法の欠点のないデジタル伝送方法を提案することであって、特に、電子チップカードと、そのカードが接触または非接触により接続される可能性のある読取り端末との間で、データ伝送を行う際に活用される方法を提案することである。
【００１０】
本発明は、「基準」と称される装置と「追従」と称される装置、例えば、超小型回路カードとそのカードの読取り／書込み端末のような装置の間のデータ伝送方法に関するものであり、以下からなる手順を含むことを特徴とする。
ａ）送信装置において、伝送すべきメッセージの基本データを、基本デジタル信号の少なくともシーケンスで構成された少なくとも一つの基本データの前記シーケンスにグループ化する。
ｂ）受信の情報処理装置に、基本データの前記シーケンスを、該シーケンスの前に同期化信号を置いて伝送し、該同期化信号が、基本データのシーケンスと共に一つのフレームを構成し、各基本データの基本デジタル信号、及び同期化信号の持続時間及び位置の特性が、基準装置に固有のものである。
【００１１】
以上に規定された方法を以下の手順（ｃ）で補完することができる。
−  基本デジタル信号で構成された伝送されるデータの制御信号を、受信装置に伝送する。
【００１２】
その方法はまた、二つの相次ぐ基本データを隔てる時間的インターバルの間に、基本デジタル信号の伝送を中断することも想定しており、前記時間的インターバルの持続時間は、基準装置に固有のものである。
【００１３】
この時間的インターバル、つまり窓は、基本データのシーケンスの伝送終了を示す少なくとも一つの標識信号を、前記時間的インターバルの間に伝送するために用いられ、基本データシーケンスの伝送終了の前記標識信号は、時間的インターバルにおいて、基準装置に固有の持続時間及び位置の特性を有する。
【００１４】
時間的インターバル、つまり窓は、受信装置から送信の情報処理装置に向かって、所謂データフロー制御の標識信号を伝送するために用いられ、前記データフロー制御信号は、前記時間的インターバルにおいて、基準装置に固有の持続時間及び位置を有する。
【００１５】
伝送の為にグループ化される基本データの数は、フレーム毎に可変である。
【００１６】
一つのデータの各基本デジタル信号は、基準装置に固有の持続時間を有する。
【００１７】
一つのデータの複数の基本デジタル信号は、基準装置に固有の、相互に関連する位置を有する。
【００１８】
本発明の他の特徴と利点は、本発明の実施の特定例について説明する以下の記述を読むことで明らかとなる。また、その説明は添付図面との関連で記述されている。
−  図１は、本発明のデジタル伝送フレームの構成またはフォーマットを示す図である。
−  図２は、フレーム同期化信号の特殊な形態を示す図である。
−  図３は、データ信号と、データ制御コードの構成と、エンド・オブ・フレームの標識信号が存在する場合のその標識信号とを示す図である。
−  図４は、データ信号のもう一つの構成、並びに受信装置のデータフロー制御の標識信号を示す図である。
【００１９】
本発明は、電子チップカードとも呼ばれる超小型回路カードへの適用について説明されるものであり、該カードは、電気的接続、無線接続、誘導または光学的接続によって伝送されるデジタル信号を介して、銀行紙幣払戻し機のような端末と通信可能なものである。しかしながら、それは二つの装置間のデジタル信号の一切の通信や伝送に応用されるものである。
【００２０】
説明の文中において、超小型回路カードを「基準装置」と呼び、反対に端末を「追従装置」と呼ぶことで、端末は、「基準」となる超小型回路カードにより課せられる方式もしくは方法に従って、超小型回路カードと通信することが示される。
【００２１】
端末と超小型回路カードは交互に送信装置と受信装置になり、端末が供給する同一のクロック信号を共有するということに注意されたい。
【００２２】
本発明のデジタル信号の伝送方法または伝送方式は、フレームのシーケンスによって特徴づけられ、各フレーム８は、例えば図１に示された構成もしくはフォーマットを有している。従って、各フレームは、初めから終わりまで順番に、フレーム同期化信号１０、データ信号１２、データ制御コード信号１４、そしてエンド・オブ・フレーム信号１６を含む。
【００２３】
データ制御コード信号１４は、見かけ上、データ信号に似通っている可能性がある。
【００２４】
フレーム同期化信号１０の特殊な形態が、図２に示されている。それは長方形信号のシーケンス２０、２２、２４及び２６を含んでおり、上昇側面と降下側面の連続で構成されている。これらの側面を隔てているのは、持続時間の限定された時間的インターバルであり、２０については１サイクルのクロックに等しく、２２については２サイクルのクロックに等しく、２４については３サイクルのクロックに等しく、２６については一つの定数に等しい。クロックのサイクルは、時間ｔ軸上に示され、一方、側面の振幅Ａは縦座標に示されている。
【００２５】
この同期化信号の特殊な形状は、フレームと受信側の電子チップカードの一つの特性であり、後に続くデータ信号を分析するために相互に同期することが可能になる。
【００２６】
これらの同期化信号を、それらの合計持続時間に対応する受信窓で分析することにより、開始時点に対するずれを受信器で測定し、最初のデータの受信から受信器を隔てる持続時間を推論する事ができる。
【００２７】
同期を得るのは、他の方法でも可能であり、例えば、送信器により、最初の同期化信号を送信し、受信器の応答により、可変の持続時間の後、持続時間を送信器に示す信号であって、その最初のデータ受信から送信器を隔てている持続時間を示す信号を送信する。
【００２８】
最初の方法の利点は、受信器で信号を送り返さなくてもすむことである。一方、第二の方法においては、送信装置のなかには、リターン信号の受信後、どの位の時間の後に最初のデータが伝送されることになるのかを十分な精度で保証できないものがある。
【００２９】
データ信号並びにデータ制御コード信号が、特定例として図３に示されている。
【００３０】
基本データとデータ制御コードは、例えばｂ０からｂ７の八つのビットを含んでおり、そのそれぞれで一バイトを形成していて、各バイトの複数ビットを、この順番に、または図４に示された順番に、または他のどのような順番にも並べることができる。
【００３１】
それらのバイトのビットに割り当てられた持続時間は、ビット毎に異なっていてもよく、任意の一つのビットについて各バイトが同一である限り、これらの持続時間は、フレームと電子チップカード（基準装置）とのもう一つの特性を構成する。バイトもしくはデータの数Ｎは、フレーム毎に可変であり、フレームの持続時間は可変である。
【００３２】
ビットの持続時間的インターバルにおいて、ビットの値「１」または「０」の信号は、このインターバルの決まった時間内に、しかも決まった位置にしか存在しない。
【００３３】
データ制御信号のバイト数ｎもまた、用途または実行される制御のタイプに応じて、可変である。
【００３４】
相次ぐ二つの基本データは、決められた一定の持続時間Ｔｓの時間的インターバル即ち窓３０により隔てられ、該インターバルは、エンド・オブ・フレーム信号３２（図３）、もしくはＸｏｆｆという用語で知られる所謂データフロー制御の受信サスペンド信号４０（図４）などの、標識信号を伝送する為に用いられるものである。これら二つの信号３２と４０は、互いに混同されないように、この時間的インターバル３０において、精確な位置を有している。
【００３５】
伝送を再開するために、受信装置は、送信装置に、Ｘｏｎという用語で知られる標識信号を伝送する。
【００３６】
この信号Ｘｏｎは、例えばフレームの、もしくは更に基本データの無い空フレームの同期化信号１０に構成することができる。
【００３７】
本発明の変形例の一つにおいて、インターバル３０の中に位置するエンド・オブ・フレーム信号は、「ノン・エンド・オブ・フレーム」信号、あるいはまた「フレーム継続」信号になり、つまり、追加の基本データを受信しなければならないということを表す。
【００３８】
本発明を、端末から超小型回路カードに向けての伝送を示しつつ説明したが、超小型回路カードから端末に向けての伝送にも適用でき、各伝送用に活用される方法の特徴は、伝送方向によって異なることも可能である。
【００３９】
上記の例において、端末から超小型回路カードに向けてのデータ伝送については、超小型回路カードが基準装置になるが、それらの役割は、超小型回路カードから端末に向けてのデータ伝送の場合には、同じであること逆であることも可能である。
【図面の簡単な説明】
【図１】  図１は、本発明のデジタル伝送フレームの構成またはフォーマットを示す図である。
【図２】  図２は、フレーム同期化信号の特殊な形態を示す図である。
【図３】  図３は、データ信号とデータ制御コードの構成、並びにエンド・オブ・フレームの標識信号が存在する場合のその標識信号とを示す図である。
【図４】  図４は、データ信号のもう一つの構成、並びに受信装置のデータフロー制御の標識信号を示す図である。
【図１】
0004213868.tif 000002
【図２】
0004213868.tif 000003
【図３】
0004213868.tif 000004
【図４】
0004213868.tif 000005